(57)【要約】【課題】周りの自動車の運転者に、障害者、老人、妊婦及び怪我人など、保護又は配慮を必要とする人を乗せて走る自動車であることを知らせ、危険な運転をしないよう注意を喚起することを可能にする。【解決手段】車椅子マーク１ｂを表示したアンドン１ａの底面１ｄにマグネット１ｃを取り付けた表示灯１とする。また、車椅子マーク２ｂを表示した反射板２ｅを取り付けた看板２であって、底面２ｄにボルト２ｃを有する看板２とする。また、視覚障害マーク４ｂ、妊婦マーク４ｃ、老人マーク４ｄ、怪我人マーク４ｅを表示した表示灯４を、自動車６の屋根６ａの上に固定したルーフキャリア５に取り付けたマーク表示車３とする。【選択図】図３
0003123381.tif 000002
【実用新案登録請求の範囲】
【請求項１】
障害を有する人を表す障害者マーク、杖と人を表してなる老人マーク、おなかの大きな婦人を表してなる妊婦マーク、松葉杖と人を表してなる怪我人マークなど、保護又は配慮を必要とする人であることを表示するマーク（以下単に「要保護マーク」という。）のいずれかを表示した表示灯又は看板であって、マグネットを有することを特徴とする表示灯又は看板。
【請求項２】
要保護マークのいずれかを表示した表示灯又は看板であって、ボルト、ボルト用の穴又はねじ穴のいずれかを有することを特徴とする表示灯。
【請求項３】
要保護マークのいずれかを表示した表示灯又は看板であって、取付具を有することを特徴とする表示灯又は看板。
【請求項４】
請求項１〜請求項３のいずれかに記載した看板であって、前記看板が要保護マークを表示した反射板を有することを特徴とする看板。
【請求項５】
請求項１〜請求項４のいずれかに記載した表示灯又は看板を屋根の上に取り付けたことを特徴とする自動車。
【請求項６】
自動車の屋根にルーフキャリアを取り付け、前記ルーフキャリアに請求項３に記載した表示灯又は看板のいずれかを取り付けたことを特徴とする自動車。
【考案の詳細な説明】
【技術分野】
【０００１】
本考案は、障害者、老人、妊婦、怪我人などを乗せて介護施設や病院などに送迎するために使用する自動車の安全性を高めることに関するものである。
【背景技術】
【０００２】
障害を有する人を表す障害者マークには、障害者が利用できる建築物・施設を示す国際シンボルマーク（以下単に「車椅子マーク」という。）、視覚障害を示す世界共通のシンボルマーク（以下単に「視覚障害マーク」という。）、聴覚障害を示す世界共通のシンボルマーク（以下単に「聴覚障害マーク」という。）及び聴覚障害者であることを示すため社団法人全日本難聴者・中途失聴者団体連合会が定めた耳のシンボルマーク「以下単に「耳マーク」という。）などがある。
障害者や老人がデイサービスセンターやリハビリセンターなどの通所施設、日帰り・短期入所施設などに通う場合に、通所施設や入所施設の職員やボランティアの人たちが自動車に障害者や老人達を乗せて送迎している。また、妊婦や怪我人が病院に通う場合には病院の職員やボランティアの人たちが自動車に妊婦や怪我人達を乗せて送迎している。
入所施設や病院で障害者、老人、妊婦及び怪我人などの送迎の役割を担う人達には、定年退職後の比較的年を取った人が多く、自動車の安全運転については細心の注意を払ってはいても事故に巻き込まれることがある。
特に最近の運転マナーの低下はひどく、制限速度で走行する自動車を無理に追い越して直前に割り込む運転をしたり、黄色の信号に停止したために追突されたり、信号に従って停止した自動車の横を抜けて高速で交差点に進入するなど、無謀な運転に伴う事故に巻き込まれる可能性が高くなっている。
また障害者、老人、妊婦及び怪我人などは体力的に弱い場合が多く、自動車事故に遭うと健常な人に比べてより大きな被害を受けるため、周りを走行する自動車の運転手には特に慎重な運転が求められている。
しかし障害者、老人、妊婦及び怪我人など、保護又は配慮を必要とする人を送迎する自動車であることを目立つ位置に明確に表示していないため、周りの自動車の運転手に注意を喚起することができない問題がある。
【考案の開示】
【考案が解決しようとする課題】
【０００３】
本考案の目的は、周りの自動車の運転者に障害者、老人、妊婦及び怪我人など保護又は配慮を必要とする人を乗せて走る自動車であることを知らせ、危険な運転をしないよう注意を喚起することにある。
【課題を解決するための手段】
【０００４】
障害者マーク、老人マーク、妊婦マーク、怪我人マークなど、保護又は配慮を必要とする人であることを表示するマーク（以下単に「要保護マーク」という。）を表示した表示灯又は看板を自動車の屋根の上に取り付ける。
【考案の効果】
【０００５】
自動車の屋根の上に要保護マークを表示した表示灯又は看板を取り付けたので、近くの自動車だけでなく遠くにいる自動車の運転者に対しても、障害者、老人、妊婦及び怪我人などを送迎する自動車であること、及びその自動車の付近では安全運転について注意を払うべきことを知らせる効果があった。
【考案を実施するための最良の形態】
【０００６】
障害者マーク、杖と人を表してなる老人マーク、おなかの大きな婦人を表してなる妊婦マーク、松葉杖と人を表してなる怪我人マークなど要保護マークのいずれかを表示した表示灯又は看板であって、取付面にマグネットを有する表示灯又は看板とする。
障害者マークとしては、上記したように車椅子マーク、視覚障害マーク、聴覚障害マーク及び耳マークなどがある。また、杖をついた人を描くなど杖と人を組み合わせることにより老人であることをマークで表現したものである。また、おなかの大きなスカートをはいた人を描くことにより妊婦であることをマークで表現したものである。さらに、松葉杖をついた人を描くことにより怪我人であることをマークで表現したものである。
自動車への取付面にマグネットを取り付けたのは、表示灯又は看板をマグネットの磁力により自動車の屋根の上に固定するためである。
また、要保護マークのいずれかを表示した表示灯又は看板であって、取付面にボルト、ボルト用の穴又はねじ穴のいずれかを有する表示灯又は看板とする。
自動車への取付面に単数又は複数のボルトを取り付けた場合は、自動車の屋根にボルト用の穴をあけて上からボルトを差し込み、屋根の下側からナットを使用して固定することにより、表示灯又は看板を自動車の屋根の上に取り付ける。
自動車への取付面に単数又は複数のボルト用の穴を明けた場合は、自動車の屋根にボルト用の穴をあけて別部品のボルトとナットを使用して固定することにより、表示灯又は看板を自動車の屋根の上に取り付ける。
自動車への取付面に単数又は複数のねじ穴を設けた場合は、自動車の屋根にボルト用の穴をあけて別部品のボルトを屋根の下から差し込み、ねじ穴にボルトをねじ込んで固定することにより、表示灯又は看板を自動車の屋根の上に取り付ける。
【０００７】
また、要保護マークのいずれかを表示した表示灯又は看板であって、取付具を有する表示灯又は看板とする。
本考案は表示灯又は看板に取付具を設け、取付具を使用して表示灯や看板を自動車の屋根に取り付ける構成としたものである。自動車の屋根にボルト用の穴を明けて取付具を自動車の屋根にボルト締めして固定する構成のものや、棒状の部材に取り付ける構成のものが考えられる。
自動車の屋根に予め棒状の部材が取り付いていたり、棒状の部材を有するルーフキャリアが取り付いている場合は、棒状の部材に取り付ける構成の取付具を使用して表示灯又は看板を自動車の屋根の上に固定する構成が好ましい。
棒状の部材に取り付ける方式の取付具としては、挿入穴を有する取付具として棒状の部材を挿入穴に貫通させてビス止めする構成がある。他にも棒状の部材を２個の部品で挟んだ状態にしてボルト締めして固定する構成の取付具も考えられる。
また、請求項１〜請求項３のいずれかに記載した看板であって、要保護マークを表示した反射板を有する看板とする。反射板は高い反射率で光を反射するので、夜間においても目立つ表示とすることができる効果が得られるからである。
また、上記したいずれかの表示灯又は看板を屋根の上に取り付けた自動車とする。要保護マークのいずれかを表示した表示灯又は看板を自動車の屋根の上に取り付けて、近くの自動車だけでなく遠くにいる自動車の運転者に対しても、障害者、老人、妊婦及び怪我人などを送迎する自動車であること、及び安全運転について注意を払うべきことを知らせるためである。
自動車の屋根にルーフキャリアを取り付け、要保護マークのいずれかを表示した表示灯又は看板であって、取付具を有する表示灯又は看板をルーフキャリアに取り付けた自動車とする。
すでにルーフキャリアを有する自動車に取り付ける場合には、ルーフキャリアに表示灯又は看板を取り付けることが最も容易で安価な構成だからである。
【実施例１】
【０００８】
以下本考案の実施例１を図１に示して説明する。実施例１は樹脂の板からなる底面１ｄと、底面１ｄの下に取り付けたマグネット１ｃと、底面１ｄの上に取り付けた半透明の樹脂の板からなるアンドン１ａであって中を空洞にしたアンドン１ａと、アンドン１ａの中に取り付けた電球と、アンドン１ａの前後面に表示した車椅子マーク１ｂを有する表示灯１である。
実施例１の表示灯１はマグネット１ｃの磁力により自動車の天井に固定し、アンドン１ａの電球に電気配線を行って使用する。
実施例１の表示灯１は昼間において目立つだけでなく、夜間でも明るく車椅子マーク１
ｂを表示するので、遠くにいる自動車の運転者に対して障害者を送迎する自動車であることを知らせ、危険な運転をしないよう注意を喚起することができる。
【実施例２】
【０００９】
実施例２の考案を図２に示して説明する。実施例２は軽合金の板からなる底面２ｄと、底面２ｄの下に取り付けた４本のボルト２ｃと、底面２ｄの上に取り付けた軽合金の板からなる表示板２ａと、表示板２ａの前後面に車椅子マーク２ｂを表示した反射板２ｅを取り付けてなる看板２である。
実施例２の看板２は自動車の屋根にボルト用の穴をあけてボルト２ｃを差し込み、屋根の下側からナットを使用して固定する。
実施例２の看板２は昼間において目立つだけでなく、夜間においても他の自動車のライトの光を反射して目立つので、遠くにいる自動車の運転者に対して障害者を送迎する自動車であることを知らせ、危険な運転をしないよう注意を喚起することができる。
【実施例３】
【００１０】
実施例３の考案を図３に示し説明する。実施例３は視覚障害マーク４ｂ、おなかの大きなスカートをはいた人を表してなる妊婦マーク４ｃ、杖をついた人を表してなる老人マーク４ｄ及び松葉杖をついた人を表してなる怪我人マーク４ｅを表示したアンドン４ａと、アンドン４ａの中に取り付けた電球と、アンドン４ａの下面に取り付けた６個の取付具４ｆであって、１列に３個ずつ並べて２列に取り付けた取付具４ｆを有する表示灯４を、自動車６の屋根６ａの上に取り付けたマーク表示車３である。
予め自動車６の屋根６ａには４個のブラケット５ｂを取り付け、２個のブラケット５ｂにより１本の棒材５ａを保持させることにより、合計２本の棒材５ａからなるルーフキャリア５を自動車６の屋根６ａに取り付けた。
さらにルーフキャリア５の１本の棒材５ａを１列に並んだ３個の取付具４ｆの挿入穴に貫通させ、２本の棒材５ａにより合計６個の取付具４ｆを支持させ、各取付具４ｆのねじ穴にビス４ｇをねじ込んで固定した。
実施例３のマーク表示車３は昼間において目立つだけでなく、夜間でも明るく視覚障害マーク４ｂ、妊婦マーク４ｃ、老人マーク４ｄ及び怪我人マーク４ｅを表示するので、遠くにいる自動車の運転者に対して視覚障害者、妊婦、老人及び怪我人を送迎する自動車であることを知らせ、危険な運転をしないよう注意を喚起することができる。
【実施例４】
【００１１】
実施例１では、アンドン１ａとマグネット１ｃを組み合わせた表示灯１としたが、アンドン１ａとボルト２ｃ、ボルト用の穴又はねじ穴のいずれかを組み合わせた表示灯の実施例もある。
実施例２では、表示板２ａとボルト２ｃを組み合わせた看板２としたが、表示板２ａとマグネット１ｃを組み合わせた看板の実施例もある。
実施例３では、複数のマークを表示したアンドン４ａを自動車６の屋根６ａに固定したルーフキャリア５に取り付けたが、例えば障害者マーク４ｂのみを表示したアンドンや看板を、自動車６の屋根６ａに固定したルーフキャリア５に取り付ける実施例もある。
【産業上の利用可能性】
【００１２】
本考案は、障害者や老人などに対して介護やリハビリテーションなどのサービスを提供する通所施設、障害者や老人などの日帰り・短期入所施設、病院などの医療施設及び障害者、老人、妊婦、怪我人などを送迎するサービスを行うボランティアなどが利用する以外にも、表示灯や看板を製造販売する産業においても利用される。
【図面の簡単な説明】
【００１３】
【図１】実施例１の表示灯の斜視図である。
【図２】実施例２の看板の斜視図である。
【図３】実施例３のマーク表示車の正面図である。
【符号の説明】
【００１４】
１  ：表示灯              １ａ：アンドン              １ｂ：車椅子マーク
１ｃ：マグネット          １ｄ：底面                  ２  ：看板
２ａ：表示板              ２ｂ：車椅子マーク          ２ｃ：ボルト
２ｄ：底面                ２ｅ：反射板                ３  ：マーク表示車
４  ：表示灯              ４ａ：アンドン              ４ｂ：視覚障害マーク
４ｃ：妊婦マーク          ４ｄ：老人マーク            ４ｅ：怪我人マーク
４ｆ：取付具              ４ｇ：ビス                  ５  ：ルーフキャリア
５ａ：棒材                ５ｂ：ブラケット            ６  ：自動車
６ａ：屋根
【図１】
0003123381.tif 000003
【図２】
0003123381.tif 000004
【図３】
0003123381.tif 000005